(57)【特許請求の範囲】
【請求項１】
ポール１０に回転可能に取り付けられた回転テーブル１１と、風を受けて回転テーブル１１を回転させる羽根１２と、回転テーブル１１の回転ごとにラチェットギヤー１６を駒送りする手段と、上記ラチェットギヤー１６の回転を受けて回転するスプロケット２２ｃ  ，２２ｄ  と、このスプロケット２２ｃ  ，２２ｄ  に取り付けられた蹴り片２８ａ  ，２８ｂ  により中間片２９ａ  ，２９ｂ  を介して掛け金３０ａ  ，３０ｂ  を掬い上げて掛け金３０ａ  ，３０ｂ  とピンＰとの係止状態を解きコイルスプリング２７ａ  ，２７ｂ  により大径ギヤー２４を引き寄せて回転させ、大径ギヤー２４に噛合するピニオン２５を回転させ、その軸Ｓに取り付けられた羽根１２の向きを反転させる手段とからなる風車。
【請求項２】
回転テーブルの下側に取り付けられた振り子１４の揺動を中間リンクを介してラチェットギヤー１６に伝達して駒送りするようにしてなる請求項１に記載の風車。
【請求項３】
ポール１０に取付けた固定カムＣと、この固定カムＣの運動を中間リンクを含む伝達機構を介してラチェットギヤー１６に伝達して駒送りするようにしてなる請求項１に記載の風車。
【発明の詳細な説明】
【０００１】
【発明の属する技術分野】
この発明は、回転方向を一定回転ごとに変更する機構を備えたオブジェ風の風車に関する。
【０００２】
【従来の技術】
遊園地のようなところでは客寄せのために奇抜なアイデアのオブジェ風の建造物が設置され、たとえば水車とか風車あるいは大形の動物を模したものが置かれる。
【０００３】
【発明が解決しようとする課題】
上記のように遊園地に設置される水車や風車は、同一方向に回転するだけで、もう少しの趣向が欲しいところである。
【０００４】
この発明は、オブジェ風の風車であって、一定回転ごとに回転方向を変更するようにして衆目を引くようにし、かつ、機構学的教育効果を望みうる風車に関する。
【０００５】
【課題を解決するための手段】
上記課題を達成するためにこの発明は、ポール１０に回転可能に取り付けられた回転テーブル１１と、風を受けて回転テーブル１１を回転させる羽根１２と、回転テーブル１１の回転ごとにラチェットギヤー１６を駒送りする手段と、上記ラチェットギヤー１６の回転を受けて回転するスプロケット２２ｃ  ，２２ｄ  と、このスプロケット２２ｃ  ，２２ｄ  に取り付けられた蹴り片２８ａ  ，２８ｂ  により中間片２９ａ  ，２９ｂ  を介して掛け金３０ａ  ，３０ｂ  を掬い上げて掛け金３０ａ  ，３０ｂ  とピンＰとの係止状態を解きコイルスプリング２７ａ  ，２７ｂ  により大径ギヤー２４を引き寄せて回転させ、大径ギヤー２４に噛合するピニオン２５を回転させ、その軸Ｓに取り付けられた羽根１２の向きを反転させる手段とからなる構成としたものである。
【０００６】
上記の如く構成するこの発明によれば、上記反転手段によって羽根の向きが変わり、それにより風車が逆転し、奇抜なオブジェしとて衆目を集め遊園地などの宣伝効果を上げることができる。
【０００７】
【発明の実施の形態】
次にこの発明の実施形態を図面を参照しながら説明する。図１はこの発明の全体概略図で、グランドＧに立てられたポール１０に回転テーブル１１が回転可能に取り付けられ、この回転テーブル１１に、風を受ける窪みを形成した４枚の羽根１２が取り付けられ、該羽根１２の上端は上記ポール１０の頂部から延びるブラケット１３に支持されている。
【０００８】
上記羽根１２が風を受けて回転テーブル１１を回転させると、該回転テーブル１１の下に揺動可能に取り付けられた振り子１４が振り上がり、一回転ごとに規制子１５に衝突して元の位置に戻り、上記振り子１４の揺動によりラチェットギヤー１６（図２参照）を駒送りして回転させ、その回転を他のホイールに伝達し一定回転数に到達すると、後述する羽根の向きを反転させる機構を働かせて回転テーブルを逆転させるようにしている。
【０００９】
次に、上記４枚の羽根の向きを反転させる機構について説明する。回転テーブル１１は、上述のようにポール１０に回転可能に支持されていて、その裏側に振り子１４がピン１７ａ  を軸にして取り付けられ、振り子１４が一点鎖線のように振り上がると規制子１５に衝突して元の位置に戻るようになっている。
【００１０】
振り子１４の中間にはピン１７ｂ  によりロッドＸが連結され、その先はピン１７ｃ  により中間リンク１８に連結され、ピン１７ｄ  に揺動可能に支持された中間リンク１８の自由端にはラチェットギヤー１６に当接する爪１９が連結されている。
【００１１】
上記中間リンク１８の自由端には図４に示すようにピン１７ｅ  を軸にして爪１９が揺動可能に取り付けられラチェットギヤー１６に当接し、ラチェットギヤー１６には板バネ２０が当接してラチェットギヤー１６の逆転を阻止している。
【００１２】
図２に戻ってラチェットギヤー１６の軸２１ａ  には第一スプロケット２２ａ  が取り付けられ、このスプロケット２２ａ  の回転はチェン２３ａ  を介して第二スプロケット２２ｂ  に伝達され、第二スプロケット２２ｂ  と同軸の第三スプロケット２２ｃ  からチェン２３ｂ  が懸け渡され第四スプロケット２２ｄ  に伝達される。
【００１３】
回転テーブル１１（ラチェットギヤー１６）と上記第一乃至第四スプロケット２２ａ  〜２２ｄ  との水平面上の間にはポール１０を軸にして大径ギヤー２４が回転可能に嵌められ、この大径ギヤー２４には上記羽根１２の軸Ｓに嵌入されたピニオン２５が噛合し、上記羽根１２の軸Ｓは、回転テーブル１１に設けられた軸受け２６に回転可能に嵌められている。なお、上記大径ギヤー２４をラチェットギヤー１６の軸２１ａ  、第二・第三スプロケット２２ｂ  ，２２ｃ  の軸２１ｂ  および第四スプロケット２２ｄ  の軸２１ｃ  が貫通する孔は図３のようにポール１０を中心とする円弧状の長孔２６ａ  ，２６ｂ  になっている。
【００１４】
図３は図２を上からみたもので、第三・第四スプロケット２２ｃ  ，２２ｄ  と大径ギヤー２４に亘ってそれぞれコイルスプリング２７が懸け渡され、同じく第三・第四スプロケット２２ｃ  ，２２ｄ  には１８０度の角位相をもって蹴り片２８ａ  ，２８ｂ  が設けられ、第三・第四スプロケット２２ｃ  ，２２ｄ  が回転して行くと図５のように中間片２９ａ  ，２９ｂ  が蹴り上げられてその自由端は掛け金３０ａ  ，３０ｂ  の自由端を掬い上げて図６のように大径ギヤー２４に植設したピンＰとの係止状態が解かれる。
【００１５】
図３、図５、図７（ａ）は、丁度第四スプロケット２２ｄ  の蹴り片２８ｂ  が中間片を蹴り上げる直前で、図７（ｂ）のように中間片２９ｂ  を蹴り上げるとその自由端が掛け金３０ｂ  を掬い上げ、掛け金３０ｂ  とピンＰとの係止状態が解かれて図７（ｃ）のように大径ギヤー２４はコイルスプリング２７ｂ  により引き寄せられて回転し、それによりピニオン２５が回転してその軸Ｓに取り付けられた羽根１２の向きが反転して回転テーブル１１が逆転する。
【００１６】
引き続き振り子１４の動きによりラチェットギヤー１６、第一乃至第四スプロケット２２ａ  ，２２ｂ  ，２２ｃ  ，２２ｄ  が回転すると図８（ａ）のように、第三スプロケット２２ｃ  の蹴り片２８ａ  が中間片２９ａ  を蹴り上げ、その自由端が掛け金３０ａ  の自由端を掬い上げ、掛け金３０ａ  とピンＰとの係止状態が解かれて図８（ｂ）のように大径ギヤー２４はコイルスプリング２７ａ  により引き寄せられて回転し、それによりピニオン２５が回転してその軸Ｓに取り付けられた羽根１２の向きが反転し回転テーブル１１が逆転する。
【００１７】
上記実施形態では、振り子の揺動によりラチェットギヤーを駒送りしているが、図９に示すように、ポール１０に固定カムＣを取り付け、この固定カムＣにスプリングにより付勢されたローラーＲを接触させて、その動きを中間リンクＬと爪Ｔを介してラチェットギヤーＲＧを駒送りするようにしてもよい。また、上記固定カムＣを偏心円形カムとし、このカムに偏心リングを嵌め、この両者間で発生する往復運動でラチェットギヤーＲＧを駒送りするようにしてもよい。
【００１８】
【発明の効果】
以上説明したようにこの発明によれば、風車が一定数回転するごとに羽根の向きが反転し風車が逆転する。この風車を遊園地のようなところに設置するならばオブジェとして衆目を集め宣伝効果を高めることができる。
【図面の簡単な説明】
【図１】この発明に係る風車の全体概略図
【図２】同縦断面図
【図３】羽根の反転機構全体図
【図４】ラチェットギヤー部分詳細図
【図５】羽根の反転機構部分図
【図６】掛け金とピンとの係止と係止解除状態の説明図
【図７】羽根の反転機構動作説明図（その１）
【図８】羽根の反転機構動作説明図（その２）
【図９】ラチェットギヤー駒送り機構図（その２）
【符号の説明】
１０  ポール
１１  回転テーブル
１２  羽根
１３  ブラケット
１４  振り子
１５  規制子
１６，ＲＧ    ラチェットギヤー
１７ａ  〜１７ｅ    ピン
１８，Ｌ  中間リンク
１９  爪
２０  板バネ
２１ａ  〜２１ｃ  ，Ｓ  軸
２２ａ  〜２１ｄ    スプロケツト
２３ａ  ，２３ｂ    チェン
２４  大径ギヤー
２５  ピニオン
２６ａ  ，２６ｂ    長孔
２７ａ  ，２７ｂ    コイルスプリング
２８ａ  ，２８ｂ    蹴り片
２９ａ  ，２９ｂ    中間片
３０ａ  ，３０ｂ    掛け金
Ｃ  固定カム
Ｒ  ローラー
Ｘ  ロッド
【図１】
0003571286.tif 000002
【図２】
0003571286.tif 000003
【図３】
0003571286.tif 000004
【図４】
0003571286.tif 000005
【図５】
0003571286.tif 000006
【図６】
0003571286.tif 000007
【図７】
0003571286.tif 000008
【図８】
0003571286.tif 000009
【図９】
0003571286.tif 000010